(57)【要約】【課題】複数の光を適正に伝搬することができる光ファイバ及び光伝送システムを提供する。【解決手段】光ファイバ３０は、コア３１と、フォトニックバンドギャップ層３２と、クラッド層３３とを備える。コア３１は、光を伝搬可能にするものである。フォトニックバンドギャップ層３２は、コア３１の周囲に設けられ、媒質を周期的に配列した周期構造を有し、光を遮断する。クラッド層３３は、フォトニックバンドギャップ層３２の周囲に設けられ、光を伝搬可能であり、屈折率がフォトニックバンドギャップ層３２の屈折率よりも高く且つ外側に隣接する空気層３４の屈折率よりも高い。【選択図】図１
2019138927.tif 000002
【特許請求の範囲】
【請求項１】
光を伝搬可能なコアと、
前記コアの周囲に設けられ媒質を周期的に配列した周期構造を有し光を遮断するフォトニックバンドギャップ層と、
前記フォトニックバンドギャップ層の周囲に設けられ光を伝搬可能であり屈折率が前記フォトニックバンドギャップ層の屈折率よりも高く且つ外側に隣接する媒体の屈折率よりも高いクラッド層と、
を備えることを特徴とする光ファイバ。
【請求項２】
前記コアは、情報を含む信号光を伝搬可能であり、
前記クラッド層は、電力供給用のリング状の給電光を伝搬可能である請求項１に記載の光ファイバ。
【請求項３】
前記コアは、情報を含む第１信号光を伝搬可能であり、
前記クラッド層は、螺旋状に伝搬するスキュー光であり情報を含む第２信号光を伝搬可能である請求項１に記載の光ファイバ。
【請求項４】
前記コアは、中空状に形成されており、
前記フォトニックバンドギャップ層は、前記媒質としての空孔を周期的に配列した前記周期構造を有する請求項１〜３のいずれか１項に記載の光ファイバ。
【請求項５】
光を伝搬可能なコア、前記コアの周囲に設けられ媒質を周期的に配列した周期構造を有し光を遮断するフォトニックバンドギャップ層、及び、前記フォトニックバンドギャップ層の周囲に設けられ光を伝搬可能であり屈折率が前記フォトニックバンドギャップ層の屈折率よりも高く且つ外側に隣接する媒体の屈折率よりも高いクラッド層を含んで構成される光ファイバと、
前記コアを伝搬可能な第１光を発光し、且つ、前記クラッド層を伝搬可能な第２光を発光する送信器と、
前記コアを伝搬した前記第１光、及び、前記クラッド層を伝搬した前記第２光を受光する受信器と、
を備えることを特徴とする光伝送システム。
【請求項６】
前記送信器は、貫通部を有する反射ミラーを含んで構成され、
前記反射ミラーは、前記コアに向かう前記第１光を前記貫通部に通し、前記第２光を前記クラッド層に向けて反射する請求項５に記載の光伝送システム。
【発明の詳細な説明】
【技術分野】
【０００１】
本発明は、光ファイバ及び光伝送システムに関する。
【背景技術】
【０００２】
従来、光ファイバとして、例えば、特許文献１には、情報を含む信号光を伝送するコアと、コアの周囲に形成されコアより屈折率が小さく給電光を伝送する第１クラッド層と、第１クラッド層の周囲に形成され当該第１クラッド層よりも屈折率が小さい第２クラッド層とを有する光ファイバが開示されている。この光ファイバは、信号光がコア内を全反射しながら伝搬し、且つ、給電光が第１クラッド層内を全反射しながら伝搬する。
【先行技術文献】
【特許文献】
【０００３】
【特許文献１】特開２０１０−１３５９８９号公報
【発明の概要】
【発明が解決しようとする課題】
【０００４】
ところで、上述の特許文献１に記載の光ファイバは、例えば、コアが第１クラッド層よりも屈折率が大きいため、当該第１クラッド層内を伝搬する給電光が全反射せずにコア内に漏洩するおそれがある。
【０００５】
そこで、本発明は、上記に鑑みてなされたものであって、複数の光を適正に伝搬することができる光ファイバ及び光伝送システムを提供することを目的とする。
【課題を解決するための手段】
【０００６】
上述した課題を解決し、目的を達成するために、本発明に係る光ファイバは、光を伝搬可能なコアと、前記コアの周囲に設けられ媒質を周期的に配列した周期構造を有し光を遮断するフォトニックバンドギャップ層と、前記フォトニックバンドギャップ層の周囲に設けられ光を伝搬可能であり屈折率が前記フォトニックバンドギャップ層の屈折率よりも高く且つ外側に隣接する媒体の屈折率よりも高いクラッド層と、を備えることを特徴とする。
【０００７】
上記光ファイバにおいて、前記コアは、情報を含む信号光を伝搬可能であり、前記クラッド層は、電力供給用のリング状の給電光を伝搬可能であることが好ましい。
【０００８】
上記光ファイバにおいて、前記コアは、情報を含む第１信号光を伝搬可能であり、前記クラッド層は、螺旋状に伝搬するスキュー光であり情報を含む第２信号光を伝搬可能であることが好ましい。
【０００９】
上記光ファイバにおいて、前記コアは、中空状に形成されており、前記フォトニックバンドギャップ層は、前記媒質としての空孔を周期的に配列した前記周期構造を有することが好ましい。
【００１０】
本発明に係る光伝送システムは、光を伝搬可能なコア、前記コアの周囲に設けられ媒質を周期的に配列した周期構造を有し光を遮断するフォトニックバンドギャップ層、及び、前記フォトニックバンドギャップ層の周囲に設けられ光を伝搬可能であり屈折率が前記フォトニックバンドギャップ層の屈折率よりも高く且つ外側に隣接する媒体の屈折率よりも高いクラッド層を含んで構成される光ファイバと、前記コアを伝搬可能な第１光を発光し、且つ、前記クラッド層を伝搬可能な第２光を発光する送信器と、前記コアを伝搬した前記第１光、及び、前記クラッド層を伝搬した前記第２光を受光する受信器と、を備えることを特徴とする。
【００１１】
上記光伝送システムにおいて、前記送信器は、貫通部を有する反射ミラーを含んで構成され、前記反射ミラーは、前記コアに向かう前記第１光を前記貫通部に通し、前記第２光を前記クラッド層に向けて反射することが好ましい。
【発明の効果】
【００１２】
本発明に係る光ファイバ及び光伝送システムは、コアと、フォトニックバンドギャップ層と、クラッド層とを備え、クラッド層の屈折率がフォトニックバンドギャップ層の屈折率よりも高く且つ外側に隣接する媒体の屈折率よりも高いので、クラッド層に光を閉じ込める機能を向上することができ、この結果、複数の光を適正に伝搬することができる。
【図面の簡単な説明】
【００１３】
【図１】図１は、実施形態に係る光伝送システムの構成例を示す概略図である。
【図２】図２は、実施形態に係る周期構造の構成例を示す図である。
【図３】図３は、実施形態に係る信号光のガウス分布を示す図である。
【図４】図４は、実施形態に係る給電光のリング分布を示す図である。
【図５】図５は、実施形態の変形例に係る光伝送システムの構成例を示す概略図である。
【図６】図６は、実施形態の変形例に係る第２信号光の伝搬例を示す図である。
【図７】図７は、実施形態の変形例に係る受信器の構成例を示す概略図である。
【発明を実施するための形態】
【００１４】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１５】
〔実施形態〕
実施形態に係る光伝送システム１について説明する。光伝送システム１は、光を伝送するシステムである。光伝送システム１は、例えば、高速通信に用いられるＳＭＦ（Ｓｉｎｇｌｅ  Ｍｏｄｅ  Ｆｉｂｅｒ；シングルモードファイバ）を用いて光を伝搬する。光伝送システム１は、例えば、情報を含む信号光ＳＬ１（第１信号光、第１光）及び電力供給用の給電光ＰＬを伝送する。光伝送システム１は、図１に示すように、送信器１０と、受信器２０と、光ファイバ３０とを備える。
【００１６】
送信器１０は、信号光ＳＬ１及び給電光ＰＬを光ファイバ３０を介して受信器２０に送信するものである。送信器１０は、第１発光部としてのＬＤ（Ｌａｓｅｒ  Ｄｉｏｄｅ）１１と、第１レンズ１２と、第２発光部としてのＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ；垂直共振器面発光レーザ）１３と、反射ミラー１４と、第２レンズ１５と、支持部材１６とを含んで構成される。
【００１７】
ＬＤ１１は、信号光ＳＬ１を発光する発光素子である。ＬＤ１１は、光ファイバ３０のコア入射口３１ａに対向して設けられている。ＬＤ１１は、コア入射口３１ａに向けて信号光ＳＬ１を発光する。ここで、信号光ＳＬ１は、例えば、図３に示すように、点状の配光分布であるガウス分布を有し、コア３１内を直進する光である。信号光ＳＬ１は、例えば、当該信号光ＳＬ１の波長が近赤外線の波長よりも長い。
【００１８】
第１レンズ１２は、光を集光するレンズである。第１レンズ１２は、ＬＤ１１とコア入射口３１ａとの間に設けられ、ＬＤ１１により発光された信号光ＳＬ１を集光する。そして、第１レンズ１２は、集光した光をコア入射口３１ａに出射する。
【００１９】
ＶＣＳＥＬ１３は、給電光ＰＬ（第２光）を発光する半導体レーザである。ＶＣＳＥＬ１３は、光ファイバ３０のクラッド入射口３３ａとＬＤ１１との間に設けられ、給電光ＰＬを発光する。ここで、給電光ＰＬは、例えば、図４に示すように、リング状の配光分布であるリング分布を有する光である。給電光ＰＬは、例えば、当該給電光ＰＬの波長が可視光線の波長と同等である。
【００２０】
反射ミラー１４は、光を反射するミラーである。反射ミラー１４は、例えば、平板状に形成され、光を反射する反射面１４ａと、貫通部１４ｂとを有している。貫通部１４ｂは、反射ミラー１４の略中央に設けられている。貫通部１４ｂには、第１レンズ１２が配置されている。反射ミラー１４は、反射面１４ａが所定の角度を有してＶＣＳＥＬ１３に対向して設けられ、ＶＣＳＥＬ１３により発光された給電光ＰＬをクラッド入射口３３ａに向けて反射する。また、反射ミラー１４は、コア３１に向かう信号光ＳＬ１を貫通部１４ｂに通すことで、当該信号光ＳＬ１が第１レンズ１２を通過するようにする。
【００２１】
第２レンズ１５は、光の進行方向を変更するレンズである。第２レンズ１５は、反射ミラー１４とクラッド入射口３３ａとの間に設けられ、反射ミラー１４により反射された給電光ＰＬのリング形状を拡大した光をクラッド入射口３３ａに出射する。
【００２２】
支持部材１６は、各種部材を支持するものである。支持部材１６は、例えば、２枚の平板１６ａ、１６ｂが組み付けられてＬ字状に形成されている。支持部材１６は、一方の平板１６ａが第２レンズ１５を支持し、他方の平板１６ｂが反射ミラー１４を支持している。
【００２３】
受信器２０は、光ファイバ３０を介して送信器１０から送信された信号光ＳＬ１及び給電光ＰＬを受信するものである。受信器２０は、第１受光部としてのＳｉ（シリコン）−ＰＤ（Ｐｈｏｔｏｄｉｏｄｅ）２１と、第２受光部としてのＩｎＧａＡｓ（インジウムガリウムヒ素）−ＰＤ（Ｐｈｏｔｏｄｉｏｄｅ）２２と、支持部材２３とを含んで構成される。
【００２４】
Ｓｉ−ＰＤ２１は、光を受光する受光素子である。Ｓｉ−ＰＤ２１は、可視光線と同等の波長の光（例えば給電光ＰＬ）を受光し、近赤外線の波長よりも長い波長の光（例えば信号光ＳＬ１）を透過する。Ｓｉ−ＰＤ２１は、ＩｎＧａＡｓ−ＰＤ２２と重なった状態で支持部材２３により支持されている。Ｓｉ−ＰＤ２１は、クラッド出射口３３ｂに対向して配置され、ＩｎＧａＡｓ−ＰＤ２２よりも光ファイバ３０側に位置している。つまり、受信器２０は、光ファイバ３０側から視て、Ｓｉ−ＰＤ２１、ＩｎＧａＡｓ−ＰＤ２２の順番に配置されている。Ｓｉ−ＰＤ２１は、給電光ＰＬを効率よく受光するためにＩｎＧａＡｓ−ＰＤ２２よりも大口径の受光面積を有している。Ｓｉ−ＰＤ２１は、クラッド出射口３３ｂから出射された給電光ＰＬを受光し、コア出射口３１ｂから出射された信号光ＳＬ１を透過する。Ｓｉ−ＰＤ２１は、受光した給電光ＰＬから変換した電力を図示しない電子機器やアンテナ等に供給する。なお、Ｓｉ−ＰＤ２１は、当該電力をＩｎＧａＡｓ−ＰＤ２２に供給して当該ＩｎＧａＡｓ−ＰＤ２２を動作させてもよい。
【００２５】
ＩｎＧａＡｓ−ＰＤ２２は、光を受光する受光素子である。ＩｎＧａＡｓ−ＰＤ２２は、近赤外線の波長よりも長い波長の光（例えば信号光ＳＬ１）を受光し、可視光線と同等の波長の光（例えば給電光ＰＬ）を受光しない。ＩｎＧａＡｓ−ＰＤ２２は、Ｓｉ−ＰＤ２１と重なった状態で支持部材２３により支持されている。ＩｎＧａＡｓ−ＰＤ２２は、Ｓｉ−ＰＤ２１を介して光ファイバ３０のコア出射口３１ｂに対向している。ＩｎＧａＡｓ−ＰＤ２２は、Ｓｉ−ＰＤ２１よりも小口径の受光面積を有している。ＩｎＧａＡｓ−ＰＤ２２は、コア出射口３１ｂから出射されＳｉ−ＰＤ２１を透過した信号光ＳＬ１を受光する。
【００２６】
支持部材２３は、各種部材を支持するものである。支持部材２３は、例えば、１枚の板状に形成され、ＩｎＧａＡｓ−ＰＤ２２、Ｓｉ−ＰＤ２１の順番にそれぞれが積層され、これらを支持している。
【００２７】
光ファイバ３０は、光を伝搬させるものである。光ファイバ３０は、一端が送信器１０に対向し、他端が受信器２０に対向して設置されている。光ファイバ３０は、コア３１と、フォトニックバンドギャップ層３２と、クラッド層３３と、媒体としての空気層３４とを備える。
【００２８】
コア３１は、光が伝搬可能な部分であり、信号光ＳＬ１を伝搬する。コア３１は、例えば、光ファイバ３０の軸線方向に沿って線状に形成され且つ中空状に形成された石製ガラスのパイプである。コア３１は、コア入射口３１ａと、コア出射口３１ｂとを有している。コア入射口３１ａは、コア３１の送信器１０側の端部に設けられた端面部である。コア入射口３１ａは、送信器１０から発光された信号光ＳＬ１をコア３１内に入射させる。コア出射口３１ｂは、コア３１の受信器２０側の端部に設けられた端面部である。コア出射口３１ｂは、コア３１内を伝搬した信号光ＳＬ１を受信器２０に向けて出射させる。コア３１は、フォトニックバンドギャップ層３２により囲まれることにより信号光ＳＬ１をコア３１内に閉じ込めることができ、且つ、信号光ＳＬ１以外の光がコア３１内に侵入することを防止できる。コア３１は、送信器１０から出射された信号光ＳＬ１がコア入射口３１ａから入射され、入射された信号光ＳＬ１が受信器２０に向けて伝搬し、伝搬した信号光ＳＬ１がコア出射口３１ｂから受信器２０に向けて出射される。
【００２９】
フォトニックバンドギャップ層３２は、光を遮断する部分である。フォトニックバンドギャップ層３２は、図２に示すように、コア３１の周囲に設けられる。フォトニックバンドギャップ層３２は、周知のように、例えば、媒質としての複数の空孔３２ａが周期的に配列した周期構造Ｋを有するフォトニック結晶を含んで構成される。フォトニック結晶は、例えば、石英ガラス等の材料により形成される。空孔３２ａは、光ファイバ３０の軸線方向に沿って線状に形成され且つ中空状に形成されている。フォトニックバンドギャップ層３２は、フォトニック結晶の周期構造Ｋにより、光の伝搬が可能な通過域及び光の伝搬が不可な遮断域（フォトニックバンドギャップ）を有する物性が得られる。フォトニックバンドギャップ層３２は、空孔３２ａの配列、空孔３２ａの数、フォトニックバンドギャップ層３２の面積全体の中で空孔３２ａが占める割合、コア３１の径、及び、コア３１の材質等で特性が決まる。フォトニックバンドギャップ層３２の屈折率は、当該フォトニックバンドギャップ層３２の実効断面積の屈折率である。実効断面積とは、占める割合の多い部分の断面積である。ここでは、フォトニックバンドギャップ層３２において空孔３２ａが占める割合が多いので、フォトニックバンドギャップ層３２の屈折率は、空孔３２ａ（空気）の屈折率と略等価である。
【００３０】
クラッド層３３は、光が伝搬可能な部分であり、例えば、給電光ＰＬを伝搬する。クラッド層３３は、フォトニックバンドギャップ層３２の周囲に設けられている。つまり、クラッド層３３は、所定の厚みを有した筒状に形成され、その内側にフォトニックバンドギャップ層３２が配置されている。クラッド層３３は、例えば、石英ガラス等の材料により形成されている。クラッド層３３は、クラッド入射口３３ａと、クラッド出射口３３ｂとを有している。クラッド入射口３３ａは、クラッド層３３の送信器１０側の端部に設けられた端面部である。クラッド入射口３３ａは、送信器１０から発光された給電光ＰＬをクラッド層３３内に入射させる。クラッド出射口３３ｂは、クラッド層３３の受信器２０側の端部に設けられた端面部である。クラッド出射口３３ｂは、クラッド層３３内を伝搬した給電光ＰＬを受信器２０に向けて出射させる。クラッド層３３は、当該クラッド層３３の屈折率がフォトニックバンドギャップ層３２の屈折率よりも高く、且つ、当該クラッド層３３の屈折率が空気層３４の屈折率よりも高い。これにより、クラッド層３３は、当該クラッド層３３とフォトニックバンドギャップ層３２との境界面で光を全反射することができ、且つ、当該クラッド層３３と空気層３４との境界面で光を全反射することができる。この結果、クラッド層３３は、クラッド入射口３３ａから入射された給電光ＰＬを閉じ込めることができる。なお、光ファイバ３０は、コア３１も中空状に形成されているので、コア３１及びフォトニックバンドギャップ層３２の屈折率が空孔３２ａ（空気）の屈折率と略等価であり、給電光ＰＬを閉じ込める機能を向上することができる。クラッド層３３は、所定の厚みを有して形成されており、当該クラッド層３３の断面積がコア３１の断面積よりも大きい。これにより、クラッド層３３は、コア３１よりも多くの光量を伝搬することができる。
【００３１】
空気層３４は、クラッド層３３の外側に隣接する媒体である。つまり、クラッド層３３は、空気中に露出している。
【００３２】
光ファイバ３０は、例えば、いわゆるスタック・アンド・ドロー方法により製造される。スタック・アンド・ドロー方法によれば、光ファイバ３０は、クラッド層３３を構成する大径の中空状の石英パイプと、周期構造Ｋの空孔３２ａを構成する小径の中空状の石英パイプと、コア３１を構成する中空状の石英パイプとを用いて製造される。光ファイバ３０は、空孔３２ａを構成する石英パイプ及びコア３１を構成する石英パイプを、クラッド層３３を構成する石英パイプの内側に並べて母材を作成し（スタック）、当該母材を線引き（ドロー）することで製造される。
【００３３】
以上のように、実施形態に係る光ファイバ３０は、コア３１と、フォトニックバンドギャップ層３２と、クラッド層３３とを備える。コア３１は、光を伝搬可能にするものである。フォトニックバンドギャップ層３２は、コア３１の周囲に設けられ、媒質を周期的に配列した周期構造Ｋを有し、光を遮断する。クラッド層３３は、フォトニックバンドギャップ層３２の周囲に設けられ、光を伝搬可能であり、屈折率がフォトニックバンドギャップ層３２の屈折率よりも高く且つ外側に隣接する空気層３４の屈折率よりも高い。
【００３４】
この構成により、光ファイバ３０は、フォトニックバンドギャップ層３２によりコア３１内に光を閉じ込めることができ、コア３１により光を伝搬させることができる。また、光ファイバ３０は、クラッド層３３が屈折率の小さな部材により挟まれているので光がクラッド層３３内を全反射しながら伝搬することができる。つまり、光ファイバ３０は、クラッド層３３に光を閉じ込める機能を向上することができる。従来の光ファイバ３０は、クラッド層３３を２層構造にして光を伝搬した場合、屈折率の設定によっては光が放射又は漏洩する場合があった。これに対して、実施形態に係る光ファイバ３０は、クラッド層３３が屈折率の小さなフォトニックバンドギャップ層３２及び空気層３４により挟まれているので、従来よりもクラッド層３３内に光を閉じ込めることができ、クラッド層３３において光が放射又は漏洩することを抑制することができる。光ファイバ３０は、クラッド層３３がコア３１のように断面の大きさが制限されないので、相対的に大きな光量の光（例えば給電光ＰＬ）を伝搬することができる。光ファイバ３０は、従来の光波長多重通信と比較して光を分離するフィルタを不要とすることができ、部品点数の増加を抑制することができる。この結果、光ファイバ３０は、複数の光を適正に伝搬することができる。
【００３５】
上記光ファイバ３０において、コア３１は、情報を含む信号光ＳＬ１を伝搬可能である。クラッド層３３は、電力供給用のリング状の給電光ＰＬを伝搬可能である。この構成により、光ファイバ３０は、１本の光ファイバ３０により信号光ＳＬ１及び給電光ＰＬを伝搬させることができ、省線化を図ることができる。また、光ファイバ３０は、クラッド層３３の断面積をコア３１の断面積よりも大きくすることができるので、従来のように例えばＳＭＦで給電光ＰＬを伝搬する場合と比較してより多く光量を伝搬させることができる。
【００３６】
上記光ファイバ３０において、コア３１は、中空状に形成されている。フォトニックバンドギャップ層３２は、媒質としての空孔３２ａが周期的に配列した周期構造Ｋを有する。この構成により、光ファイバ３０は、例えばコア３１を石英ガラス等の材料により形成した場合と比較して、中空状のコア３１及びフォトニックバンドギャップ層３２の屈折率とクラッド層３３の屈折率との差を大きくすることができ、クラッド層３３に光を閉じ込める機能を向上できる。これにより、光ファイバ３０は、当該光ファイバ３０の曲げ等による光の損失を抑制することができる。
【００３７】
実施形態に係る光伝送システム１は、光ファイバ３０と、送信器１０と、受信器２０とを備える。光ファイバ３０は、光を伝搬可能なコア３１、コア３１の周囲に設けられ媒質を周期的に配列した周期構造Ｋを有し光を遮断するフォトニックバンドギャップ層３２、及び、フォトニックバンドギャップ層３２の周囲に設けられ光を伝搬可能であり屈折率がフォトニックバンドギャップ層３２の屈折率よりも高く且つ外側に隣接する空気層３４の屈折率よりも高いクラッド層３３を含んで構成される。送信器１０は、コア３１を伝搬可能な第１光を発光し、且つ、クラッド層３３を伝搬可能な第２光を発光する。受信器２０は、コア３１を伝搬した第１光、及び、クラッド層３３を伝搬した第２光を受光する。この構成により、光伝送システム１は、送信器１０と受信器２０との間において光ファイバ３０を介して複数の光を適正に伝搬することができる。
【００３８】
上記光伝送システム１において、送信器１０は、貫通部１４ｂを有する反射ミラー１４を含んで構成される。反射ミラー１４は、コア３１に向かう第１光を貫通部１４ｂに通し、第２光をクラッド層３３に向けて反射する。この構成により、送信器１０は、第１光をコア３１に入射することができ、第２光をクラッド層３３に入射することができる。
【００３９】
〔変形例〕
次に、実施形態の変形例について説明する。クラッド層３３は、給電光ＰＬを伝搬する例について説明したが、これに限定されず、その他の用途の光を伝搬させてもよい。クラッド層３３は、例えば、螺旋状に伝搬するスキュー光であり、情報を含む第２信号光ＳＬ２を伝搬させてもよい。この場合、光伝送システム１は、例えば、図５に示すように、ＶＣＳＥＬ１３が第２信号光ＳＬ２を発光し、反射ミラー１４がＶＣＳＥＬ１３により発光された第２信号光ＳＬ２を反射し、第２レンズ１５が反射ミラー１４により反射された第２信号光ＳＬ２をクラッド入射口３３ａに向けて出射する。第２レンズ１５は、例えば、反射ミラー１４により反射された第２信号光ＳＬ２を１点に集光させてクラッド入射口３３ａに向けて出射する。光ファイバ３０は、図６に示すように、クラッド入射口３３ａに向けて出射された第２信号光ＳＬ２をスキュー光として伝搬させる。このように、第２信号光ＳＬ２は、スキュー光として螺旋状にクラッド層３３を伝搬するので、コア３１を伝搬する信号光ＳＬ１よりも低速になる。以上のように、光ファイバ３０において、コア３１は、情報を含む信号光ＳＬ１を伝搬可能である。クラッド層３３は、螺旋状に伝搬するスキュー光であり、情報を含む第２信号光ＳＬ２を伝搬可能である。この構成により、光ファイバ３０は、第２信号光ＳＬ２を伝搬させる導波路としてクラッド層３３を使用することができ、第２信号光ＳＬ２による低速通信及び信号光ＳＬ１による高速通信の同時通信を行うことができる。
【００４０】
また、受信器２０は、第１受光部としてのＳｉ−ＰＤ２１及び第２受光部としてのＩｎＧａＡｓ−ＰＤ２２を重ねて設置する例について説明したが、これに限定されない。受信器２０は、例えば、図７に示すように、光学系を送信器１０と同等の構成にしてもよい。具体的には、図７に示す受信器２０Ａは、第１レンズ２４と、第１受光部としての第１ＰＤ２５と、第２レンズ２６と、反射ミラー２７と、第２受光部としての第２ＰＤ２８と、支持部材２９とを含んで構成される。第１レンズ２４は、コア出射口３１ｂと第１ＰＤ２５との間に設けられ、コア出射口３１ｂから出射される信号光ＳＬ１を集光し、集光した光を第１ＰＤ２５に出射する。第１ＰＤ２５は、第１レンズ２４を介してコア出射口３１ｂに対向して配置され、第１レンズ２４により集光された信号光ＳＬ１を受光する。第２レンズ２６は、クラッド出射口３３ｂと反射ミラー２７との間に設けられ、クラッド出射口３３ｂから出射された給電光ＰＬのリング形状を縮小した光を反射ミラー２７に出射する。反射ミラー２７は、第２レンズ２６の後段に設けられ、第２レンズ２６から出射された給電光ＰＬを第２ＰＤ２８に向けて反射する。また、反射ミラー２７は、コア出射口３１ｂから出射された信号光ＳＬ１を貫通部１４ｂに通過させる。第２ＰＤ２８は、反射ミラー２７に対向して設けられ、反射ミラー２７により反射された給電光ＰＬを受光する。信号光ＳＬ１及び給電光ＰＬが同じ波長の場合には、実施形態の受信器２０が適用できないので、この場合に変形例の受信器２０Ａが有効である。
【００４１】
コア３１は、中空状に形成される例について説明したが、これに限定されない。コア３１は、例えば、石英ガラス等の材料より形成されてもよい。
【００４２】
クラッド層３３に隣接する媒体は、空気層３４である例について説明したが、これに限定されない。この媒体は、空気層３４の代わりにクラッド層３３よりも屈折率の低く光が伝搬可能な他のクラッド層であってもよい。
【００４３】
第１発光部としてＬＤ１１を用い、第２発光部としてＶＣＳＥＬ１３を用いる例について説明したが、これに限定されず、第１及び第２発光部としてその他の光源を用いてもよい。
【００４４】
周期構造Ｋを構成する媒質が空孔３２ａである例について説明したが、当該媒質は空孔３２ａに限定されない。
【００４５】
給電光ＰＬは、リング状の配光分布である例について説明したが、これに限定されず、点状等の配光分布であってもよい。
【符号の説明】
【００４６】
１  光伝送システム
１０  送信器
１４  反射ミラー
１４ｂ  貫通部
２０  受信器
３０  光ファイバ
３１  コア
３２  フォトニックバンドギャップ層
３２ａ  空孔（媒質）
３３  クラッド層
３４  空気層
Ｋ  周期構造
ＰＬ  給電光（第２光）
ＳＬ１  信号光（第１信号光、第１光）
ＳＬ２  第２信号光（第２光）
【図１】
2019138927.tif 000003
【図２】
2019138927.tif 000004
【図３】
2019138927.tif 000005
【図４】
2019138927.tif 000006
【図５】
2019138927.tif 000007
【図６】
2019138927.tif 000008
【図７】
2019138927.tif 000009